【手続補正書】
【提出日】平成30年9月11日(2018.9.11)
【手続補正１】
【補正対象書類名】特許請求の範囲
【補正対象項目名】全文
【補正方法】変更
【補正の内容】
【特許請求の範囲】
【請求項１】
ワイヤレスデバイスにおいて制御プレーン測定を実行するための方法であって、
マルチプルなサブフレームにまたがってアンライセンススペクトルを通じて受信された信号に対し、セルの無線リソース管理（ＲＲＭ）測定を実行することと、ここにおいて、前記ＲＲＭ測定を実行することは、オポチュニスティック送信を含む前記サブフレームの第１のサブセットに関連する基準信号受信電力（ＲＳＲＰ）測定、およびギャランティード送信を含む前記サブフレームの前記第２のサブセットに関連するＲＳＲＰ測定を得るために、ＲＳＲＰを測定することを含み、オポチュニスティック送信は、キャリアまたはチャネルが特定の条件を満たすときに行われ、ギャランティード送信は、特定の時点において起こることが保証されている、
前記サブフレームの前記第１のサブセットに関連する前記ＲＲＭ測定の第１のサブセット、および前記サブフレームの前記第２のサブセットに関連する前記ＲＲＭ測定の第２のサブセットを識別することと、
前記ＲＲＭ測定の前記第１のサブセットおよび前記ＲＲＭ測定の前記第２のサブセットにもとづいて１つまたは複数のＲＲＭ測定値を決定することと、ここにおいて、前記１つまたは複数のＲＲＭ測定値を決定することは、前記サブフレームの前記第１のサブセットに関連する前記ＲＳＲＰ測定、および前記サブフレームの前記第２のサブセットに関連する前記ＲＳＲＰ測定を、単一のＲＳＲＰ値へと結合することを含む、
を備える方法。
【請求項２】
前記ＲＲＭ測定を実行することは、前記サブフレームの前記第１のサブセットに関連する第１の受信信号強度インジケータ（ＲＳＳＩ）および前記サブフレームの前記第２のサブセットに関連する第２のＲＳＳＩを測定することを含み、
前記１つまたは複数のＲＲＭ測定値を決定することは、前記第１のＲＳＳＩにもとづいて前記サブフレームの前記第１のサブセットについての第１の基準信号受信品質（ＲＳＲＱ）値を決定することと、前記第２のＲＳＳＩにもとづいて前記サブフレームの前記第２のサブセットについての第２のＲＳＲＱ値を決定することとを含む、請求項１に記載の方法。
【請求項３】
ＲＲＭイベントを検出するために前記第１のＲＳＲＱ値をしきい値と比較すること、をさらに備える、請求項２に記載の方法。
【請求項４】
ＲＲＭイベントを検出するために前記第２のＲＳＲＱ値を異なるセルについての基準信号の受信信号品質と比較すること、をさらに備える、請求項２に記載の方法。
【請求項５】
前記第１のＲＳＲＱ値および前記第２のＲＳＲＱ値のどちらが前記ワイヤレスデバイスによって使用されるべきかについての指示をネットワークから受信すること、をさらに備える、請求項２に記載の方法。
【請求項６】
オポチュニスティック送信は、送信前にクリアチャネルアセスメント（ＣＣＡ）プロシージャまたは拡張ＣＣＡ（Ｅ−ＣＣＡ）プロシージャの対象である、請求項１に記載の方法。
【請求項７】
前記ギャランティード送信が起こる前記特定の時点は、ダウンリンククリアチャネルアセスメント（ＣＣＡ）免除送信（Ｄ−ＣＥＴ）のためサブフレームである、請求項１に記載の方法。
【請求項８】
ワイヤレスデバイスにおいて制御プレーン測定を実行するための装置であって、
マルチプルなサブフレームにまたがってアンライセンススペクトルを通じて受信された信号に対し、セルの無線リソース管理（ＲＲＭ）測定を実行するための手段と、ここにおいて、ＲＲＭ測定を実行するための前記手段は、さらには、前記サブフレームの前記第１のサブセットに関連する基準信号受信電力（ＲＳＲＰ）測定および前記サブフレームの前記第２のサブセットに関連するＲＳＲＰ測定を得るために、ＲＳＲＰを測定するためのものであり、オポチュニスティック送信は、キャリアまたはチャネルが特定の条件を満たすときに行われ、ギャランティード送信は、特定の時点において起こることが保証されている、
前記サブフレームの前記第１のサブセットに関連する前記ＲＲＭ測定の第１のサブセット、および前記サブフレームの前記第２のサブセットに関連する前記ＲＲＭ測定の第２のサブセットを識別するための手段と、
前記ＲＲＭ測定の前記第１のサブセットおよび前記ＲＲＭ測定の前記第２のサブセットにもとづいて１つまたは複数のＲＲＭ測定値を決定するための手段と、ここにおいて、前記１つまたは複数の測定値を決定するための前記手段は、さらには、前記サブフレームの前記第１のサブセットに関連する前記ＲＳＲＰ測定、および前記サブフレームの前記第２のサブセットに関連する前記ＲＳＲＰ測定を、単一のＲＳＲＰ値へと結合するためのものである、
を備える装置。
【請求項９】
ＲＲＭ測定を実行するための前記手段は、さらには、前記サブフレームの前記第１のサブセットに関連する第１の受信信号強度インジケータ（ＲＳＳＩ）および前記サブフレームの前記第２のサブセットに関連する第２のＲＳＳＩを測定するためのものであり、
決定するための前記手段は、さらには、前記第１のＲＳＳＩにもとづいて前記サブフレームの前記第１のサブセットについての第１の基準信号受信品質（ＲＳＲＱ）値、および前記第２のＲＳＳＩにもとづいて前記サブフレームの前記第２のサブセットについての第２のＲＳＲＱ値を決定するためのものである、請求項８に記載の装置。
【請求項１０】
ＲＲＭイベントを検出するために前記第１のＲＳＲＱ値をしきい値と比較するための手段をさらに備える、請求項９に記載の装置。
【請求項１１】
ＲＲＭイベントを検出するために前記第２のＲＳＲＱ値を異なるセルについての基準信号の受信信号品質と比較するための手段をさらに備える、請求項９に記載の装置。
【請求項１２】
前記第１のＲＳＲＱ値および前記第２のＲＳＲＱ値のどちらが前記ワイヤレスデバイスによって使用されるべきかについての指示をネットワークから受信するための手段をさらに備える、請求項９に記載の装置。
【請求項１３】
オポチュニスティック送信は、送信前にクリアチャネルアセスメント（ＣＣＡ）プロシージャまたは拡張ＣＣＡ（Ｅ−ＣＣＡ）プロシージャの対象である、請求項８に記載の装置。
【請求項１４】
前記ギャランティード送信が起こる前記特定の時点は、ダウンリンククリアチャネルアセスメント（ＣＣＡ）免除送信（Ｄ−ＣＥＴ）のためサブフレームである、請求項８に記載の装置。
【請求項１５】
実行されたときに請求項１〜７のいずれかに記載の方法を実行するためのコンピュータ実行可能なコードを格納しているコンピュータ読み取り可能な媒体。
【手続補正２】
【補正対象書類名】明細書
【補正対象項目名】０１０２
【補正方法】変更
【補正の内容】
【０１０２】
[0109]本開示のこれまでの説明は、本開示の製作または使用を当業者にとって可能にするために提示されている。本開示の種々の変更が、当業者にとって容易に明らかであり、本明細書に定められる全体的な原理は、本開示の技術的思想または技術的範囲から離れることなく他の変種にも適用され得る。したがって、本開示は、本明細書に記載の例および設計に限られるものではなく、本明細書に開示の原理および新規な特徴に矛盾しない最も広い範囲が与えられるべきである。
以下に、本願の出願当初の特許請求の範囲に記載された発明を付記する。
［Ｃ１］
ワイヤレスデバイスにおいて制御プレーン測定を実行するための方法であって、
マルチプルなサブフレームにまたがってアンライセンススペクトルを通じて受信された信号に対し、セルの無線リソース管理（ＲＲＭ）測定を実行することと、
オポチュニスティック送信を含む前記サブフレームの第１のサブセットに関連する前記ＲＲＭ測定の第１のサブセット、およびギャランティード送信を含む前記サブフレームの第２のサブセットに関連する前記ＲＲＭ測定の第２のサブセット、の一方または両方を識別することと、
前記ＲＲＭ測定の前記第１のサブセットおよび前記ＲＲＭ測定の前記第２のサブセットの一方または両方にもとづいて１つまたは複数のＲＲＭ測定値を決定することと、
を備える方法。
［Ｃ２］
前記ＲＲＭ測定を実行することは、前記サブフレームの前記第１のサブセットに関連する基準信号受信電力（ＲＳＲＰ）測定および前記サブフレームの前記第２のサブセットに関連するＲＳＲＰ測定を得るために、基準信号受信電力（ＲＳＲＰ）を測定することを含み、
前記１つまたは複数のＲＲＭ測定値を決定することは、前記サブフレームの前記第１のサブセットに関連する前記ＲＳＲＰ測定、および前記サブフレームの前記第２のサブセットに関連する前記ＲＳＲＰ測定を、単一のＲＳＲＰ値へと結合することを含む、Ｃ１に記載の方法。
［Ｃ３］
前記ＲＲＭ測定を実行することは、前記サブフレームの前記第１のサブセットに関連する第１の受信信号強度インジケータ（ＲＳＳＩ）および前記サブフレームの前記第２のサブセットに関連する第２のＲＳＳＩを測定することを含み、
前記１つまたは複数のＲＲＭ測定値を決定することは、前記第１のＲＳＳＩにもとづいて前記サブフレームの前記第１のサブセットについての第１の基準信号受信品質（ＲＳＲＱ）値を決定することと、前記第２のＲＳＳＩにもとづいて前記サブフレームの前記第２のサブセットについての第２のＲＳＲＱ値を決定することとを含む、Ｃ１に記載の方法。
［Ｃ４］
ＲＲＭイベントを検出するために前記第１のＲＳＲＱ値をしきい値と比較すること、をさらに備える、Ｃ３に記載の方法。
［Ｃ５］
ＲＲＭイベントを検出するために前記第２のＲＳＲＱ値を異なるセルについての基準信号の受信信号品質と比較すること、をさらに備える、Ｃ３に記載の方法。
［Ｃ６］
前記第１のＲＳＲＱ値および前記第２のＲＳＲＱ値のどちらが前記ワイヤレスデバイスによって使用されるべきかについての指示をネットワークから受信すること、をさらに備える、Ｃ３に記載の方法。
［Ｃ７］
ワイヤレスデバイスにおける制御プレーン測定のための方法であって、
アンライセンススペクトルを通じて受信されたマルチプルなサブフレームにまたがって、セル固有基準信号（ＣＲＳ）測定を得るために、セルからの受信したセル固有基準信号（ＣＲＳ）を測定することと、
オポチュニスティック送信を含む前記サブフレームの第１のサブセットに関連する前記ＣＲＳ測定の第１のサブセット、およびギャランティード送信を含む前記サブフレームの第２のサブセットに関連する前記ＣＲＳ測定の第２のサブセット、の一方または両方を識別することと、
前記ＣＲＳ測定の前記第１のサブセットについての第１の信号対干渉雑音比（ＳＩＮＲ）値、および前記ＣＲＳ測定の前記第２のサブセットについての第２のＳＩＮＲ値、の一方または両方を算出することと、
ＣＲＳ測定の前記第１のサブセットについて算出された前記第１のＳＩＮＲ値またはＣＲＳ測定の前記第２のサブセットについて算出された前記第２のＳＩＮＲ値に少なくとも部分的にもとづいて、前記ワイヤレスデバイスの無線リンク状態を監視することと、  を備える方法。
［Ｃ８］
前記ワイヤレスデバイスの前記無線リンク状態を監視することは、前記ワイヤレスデバイスが前記セルと同期しているかどうかを決定することを含む、Ｃ７に記載の方法。
［Ｃ９］
前記ワイヤレスデバイスの前記無線リンク状態を監視することは、
前記第１のＳＩＮＲ値が利用可能であると決定することと、
前記第１のＳＩＮＲ値にもとづいて前記ワイヤレスデバイスが前記セルと同期しているかどうかを決定することと、
を含む、Ｃ７に記載の方法。
［Ｃ１０］
前記セルによってブロードキャストされた複数のシステム情報ブロック（ＳＩＢ）を復号することと、
前記ＳＩＢの各々について、それぞれのＳＩＢの前記復号が成功したかどうかを示す復号状態を決定することと、
復号不成功の状態を有する前記ＳＩＢの復号の第１のカウンタ、および復号成功の状態を有する前記ＳＩＢの復号の第２のカウンタを維持することと、
をさらに備える、Ｃ７に記載の方法。
［Ｃ１１］
前記ワイヤレスデバイスの前記無線リンク状態を監視することは、
前記第１のＳＩＮＲ値が現時点において利用可能でない、または信頼できないと決定することと、
前記第１のＳＩＮＲ値が現時点において利用可能でない、または信頼できないこと、前記ワイヤレスデバイスが前記セルと同期していない旨を前記第２のＳＩＮＲ値が示していること、および前記第１のカウンタが不成功の復号のしきい値数を超えることに応答して、前記ワイヤレスデバイスが前記セルと同期していないと決定することと、
を含む、Ｃ１０に記載の方法。
［Ｃ１２］
前記ワイヤレスデバイスの前記無線リンク状態を監視することは、
前記第１のＳＩＮＲ値が現時点において利用可能でない、または信頼できないと決定することと、
前記第１のＳＩＮＲ値が現時点において利用可能でない、または信頼できないこと、ならびに、前記ワイヤレスデバイスが前記セルと同期している旨を前記第２のＳＩＮＲ値が示していること、または前記第２のカウンタが成功した復号のしきい値数を超えていることに応答して、前記ワイヤレスデバイスが前記セルと同期していると決定することと、  を備える、Ｃ１０に記載の方法。
［Ｃ１３］
前記ワイヤレスデバイスが前記セルと同期していない旨を、前記ワイヤレスデバイスの前記無線リンク状態を監視することが示すときに、無線リンク不具合を宣言すること、をさらに備える、Ｃ７に記載の方法。
［Ｃ１４］
ワイヤレスデバイスにおいて制御プレーン測定を実行するための装置であって、
マルチプルなサブフレームにまたがってアンライセンススペクトルを通じて信号を受信するように構成されたトランシーバと、
メモリと、
前記トランシーバおよび前記メモリに通信可能に結合されたプロセッサと、
を備えており、
前記プロセッサおよび前記メモリは、
前記マルチプルなサブフレームにまたがって前記アンライセンススペクトルを通じて受信された信号に対し、セルの無線リソース管理（ＲＲＭ）測定を実行することと、      オポチュニスティック送信を含む前記サブフレームの第１のサブセットに関連する前記ＲＲＭ測定の第１のサブセット、およびギャランティード送信を含む前記サブフレームの第２のサブセットに関連する前記ＲＲＭ測定の第２のサブセット、の一方または両方を識別することと、
前記ＲＲＭ測定の前記第１のサブセットおよび前記ＲＲＭ測定の前記第２のサブセットの一方または両方にもとづいて１つまたは複数のＲＲＭ測定値を決定することと、  を行うように構成されている、装置。
［Ｃ１５］
前記プロセッサおよび前記メモリは、
前記サブフレームの前記第１のサブセットに関連する基準信号受信電力（ＲＳＲＰ）測定および前記サブフレームの前記第２のサブセットに関連するＲＳＲＰ測定を得るために、基準信号受信電力（ＲＳＲＰ）を測定することと、
前記サブフレームの前記第１のサブセットに関連する前記ＲＳＲＰ測定、および前記サブフレームの前記第２のサブセットに関連する前記ＲＳＲＰ測定を、単一のＲＳＲＰ値へと結合することによって、前記１つまたは複数の測定値を決定することと、
を行うように構成されている、Ｃ１４に記載の装置。
［Ｃ１６］
前記プロセッサおよび前記メモリは、
前記サブフレームの前記第１のサブセットに関連する第１の受信信号強度インジケータ（ＲＳＳＩ）および前記サブフレームの前記第２のサブセットに関連する第２のＲＳＳＩを測定することと、
前記第１のＲＳＳＩにもとづいて前記サブフレームの前記第１のサブセットについての第１の基準信号受信品質（ＲＳＲＱ）値、および前記第２のＲＳＳＩにもとづいて前記サブフレームの前記第２のサブセットについての第２のＲＳＲＱ値を決定することと、  を行うように構成されている、Ｃ１４に記載の装置。
［Ｃ１７］
前記プロセッサおよび前記メモリは、ＲＲＭイベントを検出するために前記第１のＲＳＲＱ値をＲＲＭイベントを検出するためのしきい値と比較するように構成されている、Ｃ１６に記載の装置。
［Ｃ１８］
前記プロセッサおよび前記メモリは、ＲＲＭイベントを検出するために前記第２のＲＳＲＱ値をＲＲＭイベントを検出するための異なるセルについての基準信号の受信信号品質と比較するように構成されている、Ｃ１６に記載の装置。
［Ｃ１９］
前記プロセッサおよび前記メモリは、前記第１のＲＳＲＱ値および前記第２のＲＳＲＱ値のどちらが前記ワイヤレスデバイスによって使用されるべきかについての指示を、前記トランシーバを介してネットワークから受信するように構成されている、Ｃ１６に記載の装置。
［Ｃ２０］
ワイヤレスデバイスにおける制御プレーン測定のための装置であって、
セルからマルチプルなサブフレームにまたがってアンライセンススペクトルを通じて信号を受信するように構成されたトランシーバと、
メモリと、
前記トランシーバおよび前記メモリに通信可能に結合されたプロセッサと、
を備えており、
前記プロセッサおよび前記メモリは、
前記アンライセンススペクトルを通じて受信された前記マルチプルなサブフレームにまたがって、セル固有基準信号（ＣＲＳ）測定を得るために、前記セルからの受信したセル固有基準信号（ＣＲＳ）を測定することと、
オポチュニスティック送信を含む前記サブフレームの第１のサブセットに関連する前記ＣＲＳ測定の第１のサブセット、およびギャランティード送信を含む前記サブフレームの第２のサブセットに関連する前記ＣＲＳ測定の第２のサブセット、の一方または両方を識別することと、
前記ＣＲＳ測定の前記第１のサブセットについての第１の信号対干渉雑音比（ＳＩＮＲ）値、および前記ＣＲＳ測定の前記第２のサブセットについての第２のＳＩＮＲ値、の一方または両方を算出することと、
ＣＲＳ測定の前記第１のサブセットについて算出された前記第１のＳＩＮＲ値またはＣＲＳ測定の前記第２のサブセットについて算出された前記第２のＳＩＮＲ値に少なくとも部分的にもとづいて、前記ワイヤレスデバイスの無線リンク状態を監視することと、  を行うように構成されている、装置。
［Ｃ２１］
前記プロセッサおよび前記メモリは、前記ワイヤレスデバイスが前記セルと同期しているかどうかを決定することによって前記ワイヤレスデバイスの前記無線リンク状態を監視するように構成されている、Ｃ２０に記載の装置。
［Ｃ２２］
前記プロセッサおよび前記メモリは、前記第１のＳＩＮＲ値が利用可能であると決定し、前記第１のＳＩＮＲ値にもとづいて前記ワイヤレスデバイスが前記セルと同期しているかどうかを決定することによって、前記ワイヤレスデバイスの前記無線リンク状態を監視するように構成されている、Ｃ２０に記載の装置。
［Ｃ２３］
前記プロセッサおよび前記メモリは、
前記セルによってブロードキャストされた複数のシステム情報ブロック（ＳＩＢ）を復号することと、
前記ＳＩＢの各々について、それぞれのＳＩＢの前記復号が成功したかどうかを示す復号状態を決定することと、
復号不成功の状態を有する前記ＳＩＢの復号の第１のカウンタ、および復号成功の状態を有する前記ＳＩＢの復号の第２のカウンタを、前記メモリ内で、維持することと、  を行うように構成されている、Ｃ２０に記載の装置。
［Ｃ２４］
前記プロセッサおよび前記メモリは、
前記第１のＳＩＮＲ値が現時点において利用可能でない、または信頼できないと決定することと、
前記ワイヤレスデバイスが前記セルと同期していない旨を前記第２のＳＩＮＲ値が示しており、かつ前記第１のカウンタが不成功の復号のしきい値数を超えるときに、前記ワイヤレスデバイスが前記セルと同期していないと決定することと、
によって前記ワイヤレスデバイスの前記無線リンク状態を監視するように構成されている、Ｃ２３に記載の装置。
［Ｃ２５］
前記プロセッサおよび前記メモリは、
前記第１のＳＩＮＲ値が現時点において利用可能でない、または信頼できないと決定することと、
前記ワイヤレスデバイスが前記セルと同期している旨を前記第２のＳＩＮＲ値が示しており、あるいは前記第２のカウンタが成功した復号のしきい値数を超えているときに、前記ワイヤレスデバイスが前記セルと同期していると決定することと、
によって前記ワイヤレスデバイスの前記無線リンク状態を監視するように構成されている、Ｃ２３に記載の装置。
［Ｃ２６］
前記プロセッサおよび前記メモリは、前記ワイヤレスデバイスが前記セルと同期していない旨を、前記ワイヤレスデバイスの前記無線リンク状態を監視することが示すときに、無線リンク不具合を宣言するように構成されている、Ｃ２０に記載の装置。
［Ｃ２７］
ワイヤレスデバイスにおいて制御プレーン測定を実行するための装置であって、
マルチプルなサブフレームにまたがってアンライセンススペクトルを通じて受信された信号に対し、セルの無線リソース管理（ＲＲＭ）測定を実行するための手段と、
オポチュニスティック送信を含む前記サブフレームの第１のサブセットに関連する前記ＲＲＭ測定の第１のサブセット、およびギャランティード送信を含む前記サブフレームの第２のサブセットに関連する前記ＲＲＭ測定の第２のサブセット、の一方または両方を識別するための手段と、
前記ＲＲＭ測定の前記第１のサブセットおよび前記ＲＲＭ測定の前記第２のサブセットの一方または両方にもとづいて１つまたは複数のＲＲＭ測定値を決定するための手段と、
を備える装置。
［Ｃ２８］
ＲＲＭ測定を実行するための前記手段は、さらには、前記サブフレームの前記第１のサブセットに関連する基準信号受信電力（ＲＳＲＰ）測定および前記サブフレームの前記第２のサブセットに関連するＲＳＲＰ測定を得るために、基準信号受信電力（ＲＳＲＰ）を測定するためのものであり、
前記１つまたは複数の測定値を決定するための前記手段は、さらには、前記サブフレームの前記第１のサブセットに関連する前記ＲＳＲＰ測定、および前記サブフレームの前記第２のサブセットに関連する前記ＲＳＲＰ測定を、単一のＲＳＲＰ値へと結合するためのものである、Ｃ２７に記載の装置。
［Ｃ２９］
ＲＲＭ測定を実行するための前記手段は、さらには、前記サブフレームの前記第１のサブセットに関連する第１の受信信号強度インジケータ（ＲＳＳＩ）および前記サブフレームの前記第２のサブセットに関連する第２のＲＳＳＩを測定するためのものであり、
決定するための前記手段は、さらには、前記第１のＲＳＳＩにもとづいて前記サブフレームの前記第１のサブセットについての第１の基準信号受信品質（ＲＳＲＱ）値、および前記第２のＲＳＳＩにもとづいて前記サブフレームの前記第２のサブセットについての第２のＲＳＲＱ値を決定するためのものである、Ｃ２８に記載の装置。
［Ｃ３０］
ＲＲＭイベントを検出するために前記第１のＲＳＲＱ値をしきい値と比較するための手段をさらに備える、Ｃ２９に記載の装置。
［Ｃ３１］
ＲＲＭイベントを検出するために前記第２のＲＳＲＱ値を異なるセルについての基準信号の受信信号品質と比較するための手段をさらに備える、Ｃ２９に記載の装置。
［Ｃ３２］
前記第１のＲＳＲＱ値および前記第２のＲＳＲＱ値のどちらが前記ワイヤレスデバイスによって使用されるべきかについての指示をネットワークから受信するための手段をさらに備える、Ｃ２９に記載の装置。
［Ｃ３３］
ワイヤレスデバイスにおける制御プレーン測定のための装置であって、
アンライセンススペクトルを通じて受信されたマルチプルなサブフレームにまたがって、セル固有基準信号（ＣＲＳ）測定を得るために、セルからの受信したセル固有基準信号（ＣＲＳ）を測定するための手段と、
オポチュニスティック送信を含む前記サブフレームの第１のサブセットに関連する前記ＣＲＳ測定の第１のサブセット、およびギャランティード送信を含む前記サブフレームの第２のサブセットに関連する前記ＣＲＳ測定の第２のサブセット、の一方または両方を識別するための手段と、
前記ＣＲＳ測定の前記第１のサブセットについての第１の信号対干渉雑音比（ＳＩＮＲ）値および前記ＣＲＳ測定の前記第２のサブセットについての第２のＳＩＮＲ値の一方または両方を算出するための手段と、
前記ＣＲＳ測定の前記第１のサブセットについて算出された前記第１のＳＩＮＲ値または前記ＣＲＳ測定の前記第２のサブセットについて算出された前記第２のＳＩＮＲ値に少なくとも部分的にもとづいて、前記ワイヤレスデバイスの無線リンク状態を監視するための手段と、
を備える装置。
［Ｃ３４］
前記ワイヤレスデバイスの前記無線リンク状態を監視するための前記手段は、さらには、前記ワイヤレスデバイスが前記セルと同期しているかどうかを決定するためのものである、Ｃ３３に記載の装置。
［Ｃ３５］
前記ワイヤレスデバイスの前記無線リンク状態を監視するための前記手段は、
前記第１のＳＩＮＲ値が利用可能であると決定するための手段と、
前記第１のＳＩＮＲ値にもとづいて前記ワイヤレスデバイスが前記セルと同期しているかどうかを決定するための手段と、
を含む、Ｃ３３に記載の装置。
［Ｃ３６］
前記セルによってブロードキャストされた複数のシステム情報ブロック（ＳＩＢ）を復号するための手段と、
前記ＳＩＢの各々について、それぞれのＳＩＢの前記復号が成功したかどうかを示す復号状態を決定するための手段と、
復号不成功の状態を有する前記ＳＩＢの復号の第１のカウンタ、および復号成功の状態を有する前記ＳＩＢの復号の第２のカウンタを維持するための手段と、
をさらに備える、Ｃ３５に記載の装置。
［Ｃ３７］
前記ワイヤレスデバイスの前記無線リンク状態を監視するための前記手段は、
前記第１のＳＩＮＲ値が現時点において利用可能でない、または信頼できないと決定するための手段と、
前記ワイヤレスデバイスが前記セルと同期していない旨を前記第２のＳＩＮＲ値が示しており、かつ前記第１のカウンタが不成功の復号のしきい値数を超えるときに、前記ワイヤレスデバイスが前記セルと同期していないと決定するための手段と、
を含む、Ｃ３６に記載の装置。
［Ｃ３８］
前記ワイヤレスデバイスの前記無線リンク状態を監視するための前記手段は、
前記第１のＳＩＮＲ値が現時点において利用可能でない、または信頼できないと決定するための手段と、
前記ワイヤレスデバイスが前記セルと同期している旨を前記第２のＳＩＮＲ値が示しており、あるいは前記第２のカウンタが成功した復号のしきい値数を超えているときに、前記ワイヤレスデバイスが前記セルと同期していると決定するための手段と、
を備える、Ｃ３６に記載の装置。
［Ｃ３９］
監視するための前記手段は、さらには、前記ワイヤレスデバイスが前記セルと同期していない旨を、前記ワイヤレスデバイスの前記無線リンク状態を監視することが示すときに、無線リンク不具合を宣言するためのものである、Ｃ３３に記載の装置。
［Ｃ４０］
ワイヤレスデバイスにおいて制御プレーン測定を実行するためのコンピュータ実行可能なコードを格納しているコンピュータ読み取り可能な媒体であって、
マルチプルなサブフレームにまたがってアンライセンススペクトルを通じて受信された信号に対し、セルの無線リソース管理（ＲＲＭ）測定を実行するためのコードと、
オポチュニスティック送信を含む前記サブフレームの第１のサブセットに関連する前記ＲＲＭ測定の第１のサブセット、およびギャランティード送信を含む前記サブフレームの第２のサブセットに関連する前記ＲＲＭ測定の第２のサブセット、の一方または両方を識別するためのコードと、
前記ＲＲＭ測定の前記第１のサブセットおよび前記ＲＲＭ測定の前記第２のサブセットの一方または両方にもとづいて１つまたは複数のＲＲＭ測定値を決定するためのコードと、
を備える、コンピュータ読み取り可能な媒体。
［Ｃ４１］
ワイヤレスデバイスにおける制御プレーン測定のためのコンピュータ実行可能なコードを格納しているコンピュータ読み取り可能な媒体であって、
アンライセンススペクトルを通じて受信されたマルチプルなサブフレームにまたがって、セル固有基準信号（ＣＲＳ）測定を得るために、セルからの受信したセル固有基準信号（ＣＲＳ）を測定するためのコードと、
オポチュニスティック送信を含む前記サブフレームの第１のサブセットに関連する前記ＣＲＳ測定の第１のサブセット、およびギャランティード送信を含む前記サブフレームの第２のサブセットに関連する前記ＣＲＳ測定の第２のサブセット、の一方または両方を識別するためのコードと、
ＣＲＳ測定の前記第１のサブセットの一方または両方についての第１の信号対干渉雑音比（ＳＩＮＲ）値、および前記ＣＲＳ測定の前記第２のサブセットについての第２のＳＩＮＲ値、の一方または両方を算出するためのコードと、
ＣＲＳ測定の前記第１のサブセットについて算出された第１のＳＩＮＲ値またはＣＲＳ測定の前記第２のサブセットについて算出された第２のＳＩＮＲ値に少なくとも部分的にもとづいて、前記ワイヤレスデバイスの無線リンク状態を監視するためのコードと、  を備えるコンピュータ読み取り可能な媒体。
［Ｃ４２］
ワイヤレスデバイスにおける無線リンク不具合（ＲＬＦ）を検出するための方法であって、
或る送信時間においてアップリンク送信プロシージャをトリガすることと、
前記送信時間においてタイマを開始させることと、
前記アップリンク送信を開始する前に、前記アップリンク送信のためにアンライセンススペクトルを通じて伝送媒体にアクセスするために、１つまたは複数のクリアチャネルアセスメントを実行することと、
前記アップリンク送信を完了する前に前記タイマが満了するときに、前記ワイヤレスデバイスに関するＲＬＦを識別することと、
を備える方法。
［Ｃ４３］
前記トリガされたアップリンク送信プロシージャは、スケジューリング要求プロシージャ、ランダム・アクセス・プロシージャ、またはアップリンクデータ送信プロシージャを備える、Ｃ４２に記載の方法。
［Ｃ４４］
ワイヤレスデバイスにおける無線リンク不具合（ＲＬＦ）を検出するための装置であって、
アンライセンススペクトルを通じて信号を受信および送信するように構成されたトランシーバと、
メモリと、
前記トランシーバおよび前記メモリに通信可能に結合されたプロセッサと、
を備えており、
前記プロセッサおよび前記メモリは、
或る送信時間において前記トランシーバを介してアップリンク送信プロシージャをトリガすることと、
前記送信時間においてタイマを開始させることと、
前記トランシーバを介して、前記アップリンク送信を開始する前に、前記アップリンク送信のために前記アンライセンススペクトルを通じて伝送媒体にアクセスするために、１つまたは複数のクリアチャネルアセスメントを実行することと、
前記アップリンク送信を送信する前に前記タイマが満了するときに、前記ワイヤレスデバイスに関するＲＬＦを識別することと、
を行うように構成されている、装置。
［Ｃ４５］
ワイヤレスデバイスにおける無線リンク不具合（ＲＬＦ）を検出するための装置であって、
或る送信時間においてアップリンク送信プロシージャをトリガするための手段と、    前記送信時間においてタイマを開始させるための手段と、
前記アップリンク送信を開始する前に、前記アップリンク送信のためにアンライセンススペクトルを通じて伝送媒体にアクセスするために、１つまたは複数のクリアチャネルアセスメントを実行するための手段と、
アップリンク送信を送信する前に前記タイマが満了するときに、ワイヤレスデバイスに関するＲＬＦを識別するための手段と、
を備える装置。
［Ｃ４６］
ワイヤレスデバイスにおける無線リンク不具合（ＲＬＦ）を検出するためのコンピュータ実行可能なコードを格納しているコンピュータ読み取り可能な媒体であって、
或る送信時間においてアップリンク送信プロシージャをトリガするためのコードと、    前記送信時間においてタイマを開始させるためのコードと、
前記アップリンク送信を開始する前に、前記アップリンク送信のためにアンライセンススペクトルを通じて伝送媒体にアクセスするために、１つまたは複数のクリアチャネルアセスメントを実行するためのコードと、
前記アップリンク送信を送信する前に前記タイマが満了するときに、前記ワイヤレスデバイスに関するＲＬＦを識別するためのコードと、
を備える、コンピュータ読み取り可能な媒体。
［Ｃ４７］
ワイヤレスデバイスにおける無線リンク不具合（ＲＬＦ）を検出するための方法であって、
無線リンク制御（ＲＬＣ）プロトコル・データ・ユニット（ＰＤＵ）を生成することと、
アンライセンススペクトルを通じて前記ＲＬＣ  ＰＤＵを最初に送信するときにタイマを開始させることと、
前記ＲＬＣ  ＰＤＵについての確認応答を受信する前に前記タイマが満了するとき、または前記ＲＬＣ  ＰＤＵについて最大数のＲＬＣ再送信が生じるときに、ＲＬＦを識別することと、
を備える方法。
［Ｃ４８］
前記タイマの持続時間は、前記ＲＬＣ  ＰＤＵに関する無線ベアラにもとづいて設定される、Ｃ４７に記載の方法。
［Ｃ４９］
ワイヤレスデバイスにおける無線リンク不具合（ＲＬＦ）を検出するための装置であって、
アンライセンススペクトルを通じて信号を送信および受信するように構成されたトランシーバと、
メモリと、
前記トランシーバおよび前記メモリに通信可能に結合されたプロセッサと、
を備えており、
前記プロセッサおよび前記メモリは、
無線リンク制御（ＲＬＣ）プロトコル・データ・ユニット（ＰＤＵ）を生成することと、
前記アンライセンススペクトルを通じて前記ＲＬＣ  ＰＤＵを最初に送信するときにタイマを開始させることと、
前記ＲＬＣ  ＰＤＵについての確認応答を受信する前に前記タイマが満了するとき、または前記ＲＬＣ  ＰＤＵについて最大数のＲＬＣ再送信が生じるときに、ＲＬＦを識別することと、
を行うように構成されている、装置。
［Ｃ５０］
ワイヤレスデバイスにおける無線リンク不具合（ＲＬＦ）を検出するための装置であって、
無線リンク制御（ＲＬＣ）プロトコル・データ・ユニット（ＰＤＵ）を生成するための手段と、
アンライセンススペクトルを通じて前記ＲＬＣ  ＰＤＵを最初に送信するときにタイマを開始させるための手段と、
前記ＲＬＣ  ＰＤＵについての確認応答を受信する前に前記タイマが満了するとき、または前記ＲＬＣ  ＰＤＵについて最大数のＲＬＣ再送信が生じるときに、ＲＬＦを識別するための手段と、
を備える装置。
［Ｃ５１］
ワイヤレスデバイスにおける無線リンク不具合（ＲＬＦ）を検出するためのコンピュータ実行可能なコードを格納しているコンピュータ読み取り可能な媒体であって、
無線リンク制御（ＲＬＣ）プロトコル・データ・ユニット（ＰＤＵ）を生成するためのコードと、
アンライセンススペクトルを通じて前記ＲＬＣ  ＰＤＵを最初に送信するときにタイマを開始させるためのコードと、
前記ＲＬＣ  ＰＤＵについての確認応答を受信する前に前記タイマが満了するとき、または前記ＲＬＣ  ＰＤＵについて最大数のＲＬＣ再送信が生じるときに、ＲＬＦを識別するためのコードと、
を備える、コンピュータ読み取り可能な媒体。